(57)【要約】【課題】省スペースでの搬入や施工が可能であり、簡便に補強工事できる木造建築物の水平架構の補強部材および木造建築物の水平架構の補強工法を提供すること。【解決手段】水平架構１０の入隅Ａにおいて接合される２つの横架材１，２間に火打金物１１が架設され、線状緊張部材１５の端部にその軸線方向に沿って一体に設けられた雄ネジ部１５２が火打金物１１の架渡部１１１に設けられた貫通孔１１６に挿通された状態で火打金物１１の架渡部１１１を挟んでその両側で雄ネジ部１５２に雌ネジ部材１７が締結されることにより線状緊張部材１５の端部が火打金物１１の架渡部１１１に固定されて、水平架構１０の対角位置にある２つの入隅Ａ，Ｂ間に線状緊張部材１５が緊張した状態で架け渡される。【選択図】図２
2015194051.tif 000002
【特許請求の範囲】
【請求項１】
木造建築物における水平架構の対角位置にある２つの入隅間に架設される木造建築物の水平架構の補強部材であって、
前記水平架構の入隅において接合される２つの横架材間に架設される火打金物と、前記水平架構の対角位置にある２つの入隅間に架け渡される線状緊張部材と、雌ネジ部材と、を備え、
前記線状緊張部材の端部には前記雌ネジ部材に螺合可能な雄ネジ部がその軸線方向に沿って一体に設けられているとともに、前記火打金物の架渡部には前記線状緊張部材の雄ネジ部が挿通可能な大きさの貫通孔が設けられており、
前記線状緊張部材の雄ネジ部が前記火打金物の架渡部の貫通孔に挿通された状態で前記火打金物の架渡部を挟んでその両側で前記雄ネジ部に前記雌ネジ部材が締結されることにより前記線状緊張部材の端部が前記火打金物の架渡部に固定されるものであることを特徴とする木造建築物の水平架構の補強部材。
【請求項２】
少なくとも一方の座面が傾斜面で厚みが漸次小さくなるテーパ座金をさらに備え、このテーパ座金により、前記水平架構の面内において前記線状緊張部材の雄ネジ部の軸線方向を前記火打金物の架渡部の貫通孔の軸線方向と異なる方向に向けた状態で前記線状緊張部材の端部が前記火打金物の架渡部に固定されるものであることを特徴とする請求項１に記載の木造建築物の水平架構の補強部材。
【請求項３】
座面の片側が凸と凹の球面になった一対を組み合わせてなる球面座金をさらに備え、この球面座金により、前記水平架構の面内において前記線状緊張部材の雄ネジ部の軸線方向を前記火打金物の架渡部の貫通孔の軸線方向と異なる方向に向けた状態で前記線状緊張部材の端部が前記火打金物の架渡部に固定されるものであることを特徴とする請求項１に記載の木造建築物の水平架構の補強部材。
【請求項４】
前記火打金物の架渡部には、前記線状緊張部材の雄ネジ部を挿通する貫通孔が高さ方向の異なる位置に複数設けられていることを特徴とする請求項１から３のいずれか１項に記載の木造建築物の水平架構の補強部材。
【請求項５】
前記横架材に固定する火打金物の両固定部には、それぞれ固定用ビスを挿通するビス孔が高さ方向の異なる位置に複数設けられていることを特徴とする請求項１から４のいずれか１項に記載の木造建築物の水平架構の補強部材。
【請求項６】
木造建築物の水平架構の入隅において接合される２つの横架材間に火打金物を架設し、この火打金物を架設した水平架構の入隅とその対角位置にある入隅との間に線状緊張部材を架け渡し、この線状緊張部材の端部にその軸線方向に沿って一体に設けられた雄ネジ部を前記火打金物の架渡部に設けられた貫通孔に挿通し、前記線状緊張部材を前記水平架構の２つの入隅間に緊張させた状態で前記火打金物の架渡部を挟んでその両側で前記雄ネジ部に雌ネジ部材を締結することにより前記線状緊張部材の端部を前記火打金物の架渡部に固定することを特徴とする木造建築物の水平架構の補強工法。
【請求項７】
少なくとも一方の座面が傾斜面で厚みが漸次小さくなるテーパ座金を用い、前記水平架構の面内において前記線状緊張部材の雄ネジ部の軸線方向を前記火打金物の架渡部の貫通孔の軸線方向と異なる方向に向けた状態で前記線状緊張部材の端部を前記火打金物の架渡部に固定することを特徴とする請求項６に記載の木造建築物の水平架構の補強工法。
【請求項８】
座面の片側が凸と凹の球面になった一対を組み合わせてなる球面座金を用い、前記水平架構の面内において前記線状緊張部材の雄ネジ部の軸線方向を前記火打金物の架渡部の貫通孔の軸線方向と異なる方向に向けた状態で前記線状緊張部材の端部を前記火打金物の架渡部に固定することを特徴とする請求項６に記載の木造建築物の水平架構の補強工法。
【発明の詳細な説明】
【技術分野】
【０００１】
本発明は、木造建築物の水平架構の補強部材および木造建築物の水平架構の補強工法に関するものである。
【背景技術】
【０００２】
木造建築物において、耐震安全性の確保のために、水平剛性（平面的硬さ）を確保しなければならない。一般的な工法としては、構造用合板を水平構面全面に張り付ける方法や、筋交い材（木材）を水平に設置する方法などがある。
【先行技術文献】
【非特許文献】
【０００３】
【非特許文献１】一般財団法人  日本建築防災協会  国土交通大臣指定耐震改修支援センター「２０１２年改訂版  木造住宅の耐震診断と補強方法  指針と解説編」２０１２年６月９日、ｐ１３７−１３８
【発明の概要】
【発明が解決しようとする課題】
【０００４】
既存の木造建築物に従来の一般的な補強を追加する場合には、天井を一時撤去し、構造用合板の大きさや筋交い材の長さに合わせた下地材を追加設置し、補強工事後に復旧工事が必要であった。したがって、住みながら、使用しながらの工事は困難であり、比較的大きな工事となる場合が多い。
【０００５】
本発明が解決しようとする課題は、省スペースでの搬入や施工が可能であり、簡便に補強工事できる木造建築物の水平架構の補強部材および木造建築物の水平架構の補強工法を提供することにある。
【課題を解決するための手段】
【０００６】
上記課題を解決するため本発明に係る木造建築物の水平架構の補強部材は、木造建築物における水平架構の対角位置にある２つの入隅間に架設される木造建築物の水平架構の補強部材であって、前記水平架構の入隅において接合される２つの横架材間に架設される火打金物と、前記水平架構の対角位置にある２つの入隅間に架け渡される線状緊張部材と、雌ネジ部材と、を備え、前記線状緊張部材の端部には前記雌ネジ部材に螺合可能な雄ネジ部がその軸線方向に沿って一体に設けられているとともに、前記火打金物の架渡部には前記線状緊張部材の雄ネジ部が挿通可能な大きさの貫通孔が設けられており、前記線状緊張部材の雄ネジ部が前記火打金物の架渡部の貫通孔に挿通された状態で前記火打金物の架渡部を挟んでその両側で前記雄ネジ部に前記雌ネジ部材が締結されることにより前記線状緊張部材の端部が前記火打金物の架渡部に固定されるものであることを要旨とする。
【０００７】
この場合、少なくとも一方の座面が傾斜面で厚みが漸次小さくなるテーパ座金をさらに備え、このテーパ座金により、前記水平架構の面内において前記線状緊張部材の雄ネジ部の軸線方向を前記火打金物の架渡部の貫通孔の軸線方向と異なる方向に向けた状態で前記線状緊張部材の端部が前記火打金物の架渡部に固定されるものであってもよい。
【０００８】
また、座面の片側が凸と凹の球面になった一対を組み合わせてなる球面座金をさらに備え、この球面座金により、前記水平架構の面内において前記線状緊張部材の雄ネジ部の軸線方向を前記火打金物の架渡部の貫通孔の軸線方向と異なる方向に向けた状態で前記線状緊張部材の端部が前記火打金物の架渡部に固定されるものであってもよい。
【０００９】
そして、前記火打金物の架渡部には、前記線状緊張部材の雄ネジ部を挿通する貫通孔が高さ方向の異なる位置に複数設けられていてもよい。
【００１０】
また、前記横架材に固定する火打金物の両固定部には、それぞれ固定用ビスを挿通するビス孔が高さ方向の異なる位置に複数設けられていてもよい。
【００１１】
そして、本発明に係る木造建築物の水平架構の補強工法は、木造建築物の水平架構の入隅において接合される２つの横架材間に火打金物を架設し、この火打金物を架設した水平架構の入隅とその対角位置にある入隅との間に線状緊張部材を架け渡し、この線状緊張部材の端部にその軸線方向に沿って一体に設けられた雄ネジ部を前記火打金物の架渡部に設けられた貫通孔に挿通し、前記線状緊張部材を前記水平架構の２つの入隅間に緊張させた状態で前記火打金物の架渡部を挟んでその両側で前記雄ネジ部に雌ネジ部材を締結することにより前記線状緊張部材の端部を前記火打金物の架渡部に固定することを要旨とするものである。
【００１２】
この場合、少なくとも一方の座面が傾斜面で厚みが漸次小さくなるテーパ座金を用い、前記水平架構の面内において前記線状緊張部材の雄ネジ部の軸線方向を前記火打金物の架渡部の貫通孔の軸線方向と異なる方向に向けた状態で前記線状緊張部材の端部を前記火打金物の架渡部に固定してもよい。
【００１３】
また、座面の片側が凸と凹の球面になった一対を組み合わせてなる球面座金を用い、前記水平架構の面内において前記線状緊張部材の雄ネジ部の軸線方向を前記火打金物の架渡部の貫通孔の軸線方向と異なる方向に向けた状態で前記線状緊張部材の端部を前記火打金物の架渡部に固定してもよい。
【発明の効果】
【００１４】
本発明に係る木造建築物の水平架構の補強部材は、水平架構の入隅において接合される２つの横架材間に架設される火打金物と、水平架構の対角位置にある２つの入隅間に架け渡される線状緊張部材と、雌ネジ部材と、を備えている。これらはいずれも点検口などの天井の一部から施工場所に搬入することができるものであり、省スペースで搬入が可能なものである。すると、施工に際し、天井の一時撤去は不要であり、補強後の復旧工事も不要である。したがって、住みながら、使用しながらの施工も可能で、大規模な工事とはならない。
【００１５】
そして、実際の施工では、水平架構の入隅において接合される２つの横架材間に火打金物を架設し、この火打金物の架渡部に設けられた貫通孔に、線状緊張部材の端部にその軸線方向に沿って一体に設けられた雄ネジ部を挿通した状態で火打金物の架渡部を挟んでその両側で雄ネジ部に雌ネジ部材を締結することにより、線状緊張部材の端部を火打金物の架渡部分に固定する。これにより、木造建築物に水平架構の補強部材を施工できるため、簡便に補強工事ができる。
【００１６】
線状緊張部材の緊張は、火打金物の架渡部の貫通孔に挿通する雄ネジ部の長さを調整することにより行うことができる。つまり、雄ネジ部によって線状緊張部材の端部の固定と線状緊張部材の緊張を同時に行うことができる。したがって、ターンバックルのような長さを調整する別部材が不要であり、コストの削減が図れる。
【００１７】
また、同時に、火打金物は、水平架構の入隅において接合される２つの横架材間に架設されてこの入隅の接合部を補強するので、火打金物による補強効果も見込むことができる。
【００１８】
この場合、上記テーパ座金をさらに備え、このテーパ座金により、水平架構の面内において線状緊張部材の雄ネジ部の軸線方向を火打金物の架渡部の貫通孔の軸線方向と異なる方向に向けた状態で線状緊張部材の端部が火打金物の架渡部に固定されるものであると、面が矩形の（正方形ではない）水平架構にも適切に施工することができる。上記球面座金をさらに備える場合も、同様である。
【００１９】
そして、火打金物の架渡部に線状緊張部材の雄ネジ部を挿通する貫通孔が高さ方向の異なる位置に複数設けられていると、火打金物の架渡部に固定する線状緊張部材の雄ネジ部の位置を高さ方向にずらすことができる。そうすると、線状緊張部材を架け渡す２つの入隅間に障害物があっても、障害物の位置から高さ方向にずらして線状緊張部材を２つの入隅間に架け渡すことができる。
【００２０】
また、横架材に固定する火打金物の両固定部にそれぞれ固定用ビスを挿通するビス孔が高さ方向の異なる位置に複数設けられていると、火打金物の両固定部を２つの横架材に異なる高さで固定することができる。そうすると、２つの横架材どうしが高さ方向にずれて段差がある場合にも、この段差に対応して２つの横架材に火打金物の両固定部を固定することができる。
【００２１】
そして、本発明に係る木造建築物の水平架構の補強工法によれば、点検口などの天井の一部から施工場所に部材を搬入することができ、省スペースで搬入が可能である。施工に際し、天井の一時撤去は不要であり、補強後の復旧工事も不要である。したがって、住みながら、使用しながらの施工も可能で、大規模な工事とはならない。
【００２２】
施工では、水平架構の入隅において接合される２つの横架材間に火打金物を架設し、この火打金物の架渡部に設けられた貫通孔に、線状緊張部材の端部にその軸線方向に沿って一体に設けられた雄ネジ部を挿通した状態で火打金物の架渡部を挟んでその両側で雄ネジ部に雌ネジ部材を締結することにより、線状緊張部材の端部を火打金物の架渡部分に固定する。これにより、木造建築物に水平架構の補強部材を施工できるため、簡便に補強工事ができる。
【００２３】
線状緊張部材の緊張は、火打金物の架渡部の貫通孔に挿通する雄ネジ部の長さを調整することにより行うことができる。つまり、雄ネジ部によって線状緊張部材の端部の固定と線状緊張部材の緊張を同時に行うことができる。したがって、ターンバックルのような長さを調整する別部材が不要であり、コストの削減が図れる。
【００２４】
また、同時に、火打金物は、水平架構の入隅において接合される２つの横架材間に架設されてこの入隅の接合部を補強するので、火打金物による補強効果も見込むことができる。
【図面の簡単な説明】
【００２５】
【図１】木造建築物における水平架構の一例とこの水平架構に対して行われる補強工事の施工例を示した平面図である。
【図２】図１の入隅Ａにおける拡大図である。
【図３】火打金物の一例を示した模式図である。
【図４】線状緊張部材の一例を示した模式図である。
【図５】面が正方形の水平架構である図１において、線状緊張部材の雄ネジ部が火打金物の架渡部に固定されたところを示した拡大図である。
【図６】入隅Ａに既存の火打材が存在しているときの火打金物の架設例を示した斜視図である。
【図７】２つの横架材どうしが高さ方向にずれて接合されているところの火打金物の架設例を示した斜視図である。
【図８】面が矩形状の水平架構において、線状緊張部材の雄ネジ部が火打金物の架渡部に固定されたところを示した拡大図である。
【図９】球面座金の一例を示した断面図である。
【発明を実施するための形態】
【００２６】
以下、本発明の実施形態について、図を参照して詳細に説明する。図１は、木造建築物における水平架構の一例とこの水平架構に対して行われる補強工事の施工例を示した平面図である。
【００２７】
図１に示すように、木造建築物における水平架構１０は、４本の横架材１〜４により構成されている。横架材１および横架材２は入隅Ａにおいて柱５を介して接合され、横架材３および横架材４は入隅Ｂにおいて柱６を介して接合され、横架材１および横架材４は入隅Ｃにおいて柱７を介して接合され、横架材２および横架材３は入隅Ｄにおいて柱８を介して接合されている。水平架構１０の面は、横架材１〜４の長さを同じとする正方形に構成されている。入隅Ａおよび入隅Ｂが互いに対角位置にある２つの入隅となり、入隅Ｃおよび入隅Ｄが互いに対角位置にある２つの入隅となる。
【００２８】
入隅Ａにおいて接合される２つの横架材１，２間に火打金物１１が架設され、入隅Ｂにおいて接合される２つの横架材３，４間に火打金物１２が架設され、入隅Ｃにおいて接合される２つの横架材１，４間に火打金物１３が架設され、入隅Ｄにおいて接合される２つの横架材２，３間に火打金物１４が架設されている。また、水平架構１０の対角位置にある２つの入隅Ａ，Ｂ間に線状緊張部材１５が架け渡され、水平架構１０の対角位置にある２つの入隅Ｃ，Ｄ間に線状緊張部材１６が架け渡されている。なお、火打金物１１〜１４は、同じ構成のものからなる。また、線状緊張部材１５〜１６は、同じ構成のものからなる。
【００２９】
図２は、図１の入隅Ａにおける拡大図である。図３は、火打金物の一例を示した模式図である。図４は、線状緊張部材の一例を示した模式図である。図５は、図１において、線状緊張部材の端部が火打金物の架渡部に固定されたところを示した拡大図である。
【００３０】
図２、３に示すように、火打金物１１は、接合される２つの横架材１，２間に架け渡される架渡部１１１と、架渡部１１１の架渡方向の一方の端部に一体に延設形成された、横架材１に固定する固定部１１２と、架渡部１１１の架渡方向の他方の端部に一体に延設形成された、横架材２に固定する固定部１１３と、を備えている。架渡部１１１は、水平架構１０の面と直交する鉛直方向に延びる平面状に形成され、固定部１１２，１１３は、同じく水平架構１０の面と直交する鉛直方向に延びる平面状に形成されており、固定部１１２，１１３は、それぞれ架渡部１１１の面よりも同じ方向に４５°起き上がった角度に折り曲げられる形で形成されている。
【００３１】
架渡部１１１の内面上の上側端辺には、板状片（リブ）１１４が溶接等によって接合されており、板状片（リブ）１１４の架渡方向の一方端は固定部１１２の内面上の上側端辺まで延びてその上側端辺に溶接等によって接合されており、板状片（リブ）１１４の架渡方向の他方端は固定部１１３の内面上の上側端辺まで延びてその上側端辺に溶接等によって接合されている。また、架渡部１１１の内面上の下側端辺にも、板状片（リブ）１１５が溶接等によって接合されており、板状片（リブ）１１５の架渡方向の一方端は固定部１１２の内面上の上側端辺まで延びてその上側端辺に溶接等によって接合されており、板状片（リブ）１１５の架渡方向の他方端は固定部１１３の内面上の上側端辺まで延びてその上側端辺に溶接等によって接合されている。そして、板状片（リブ）１１４および板状片（リブ）１１５により、架渡部１１１の面の曲げ強度が高められている。
【００３２】
架渡部１１１には、その面に直交する方向に貫通する貫通孔１１６が設けられている。貫通孔１１６の孔径は、線状緊張部材１５の雄ネジ部１５２が挿通可能な大きさであり、線状緊張部材１５の雄ネジ部１５２の呼び径よりも大きくされている。貫通孔１１６は、架渡部１１１の面内において、鉛直方向（高さ方向）の異なる位置に複数（図３中では３つ）設けられている。
【００３３】
固定部１１２には、その面に直交する方向に貫通する孔として固定用ビス１８を挿通するビス孔１１７が設けられている。固定部１１２の面内において、ビス孔１１７は、鉛直方向（高さ方向）の異なる位置に複数（図３中では４つから５つ）設けられている。また、ビス孔１１７は、固定部１１２の面内において、水平方向の異なる位置に複数（図３中では３列）設けられている。なお、固定部１１２の面に接する木材の固定用ビスによる割れを防止する観点から、水平方向に隣り合うビス孔１１７どうしは鉛直方向（高さ方向）にずらして配置されている。固定部１１３にも、固定部１１２と同様にビス孔１１８が設けられている。
【００３４】
図４に示すように、線状緊張部材１５は、線状で水平架構１０の対角位置にある２つの入隅Ａ，Ｂ間に架け渡して緊張できるものであればよく、主たる部分（線状材）１５１を構成するものとしては、ワイヤー、ワイヤーロープ、鋼線などの可撓性を有する線状材や、ロッド、鋼棒などの剛性の線状材が挙げられる。可撓性を有する線状材は、巻回して施工場所に搬入することができるため、特に省スペースで搬入しやすいものとなる。線状緊張部材１５の端部には、雄ネジ部１５２がその軸線方向に沿って一体に設けられている。具体的には、一端に雄ネジ部１５２を備え他端に円筒部１５３を備えたスリーブ材１５４の円筒部１５３に線状材１５１の端部が挿入圧着されることにより線状緊張部材１５の端部に雄ネジ部１５２がその軸線方向に沿って一体に設けられている。この線状緊張部材１５の雄ネジ部１５２には、雌ネジ部材であるナット１７が螺合される。
【００３５】
図２に示すように、水平架構１０の入隅Ａにおいて接合される２つの横架材１，２間に火打金物１１を架設する。具体的には、入隅Ａの奥側に火打金物１１の架渡部１１１を配置し、入隅Ａの入隅面１ａに火打金物１１の固定部１１２の外側面を面接触させるとともに、入隅Ａの入隅面２ａに火打金物１１の固定部１１３の外側面を面接触させ、固定部１１２，１１３のビス孔１１７，１１８にそれぞれ固定用ビス１８を挿通して締結することにより、２つの横架材１，２間に火打金物１１を架設する。
【００３６】
次に、図２，５に示すように、線状緊張部材１５の端部にその軸線方向に沿って一体に設けられた雄ネジ部１５２を火打金物１１の架渡部１１１に設けられた貫通孔１１６に挿通し、火打金物１１の架渡部１１１を挟んでその両側で雄ネジ部１５２にナット１７を締結することにより線状緊張部材１５の端部を火打金物１１の架渡部１１１に固定する。このとき、線状緊張部材１５の緊張は、火打金物１１の架渡部１１１の貫通孔１１６に挿通する雄ネジ部１５２の長さを調整することにより行うことができる。つまり、入隅Ａの奥側に配置されるナット１７（１７ａ）の雄ネジ部１５２における軸線方向の位置により線状緊張部材１５の緊張を調整することができる。入隅Ａの手前側に配置されるナット１７（１７ｂ）は、入隅Ａの奥側に配置されるナット１７（１７ａ）との間で火打金物１１の架渡部１１１を挟み込み、雄ネジ部１５２を火打金物１１の架渡部１１１に固定するものとなる。入隅Ａの奥側に配置されるナット１７（１７ａ）および手前側に配置されるナット１７（１７ｂ）は、それぞれ緩み防止のためにダブルナットとするとよい。
【００３７】
以上により、入隅Ａに火打金物１１が架設され、この火打金物１１の架渡部１１１に線状緊張部材１５の端部が固定される。そして、入隅Ｂ、Ｃ，Ｄにおいても同様の施工を行うことで、図１に示すように入隅Ａ，Ｂ間に線状緊張部材１５が架け渡され、入隅Ｃ，Ｄ間に線状緊張部材１６が架け渡される。
【００３８】
このとき、用いる部材は、火打金物１１、線状緊張部材１５、ナット１７などであり、いずれも点検口などの天井の一部から施工場所に搬入することができ、省スペースで搬入が可能なものである。よって、施工に際し、天井の一時撤去は不要であり、補強後の復旧工事も不要である。したがって、住みながら、使用しながらの施工も可能で、大規模な工事とはならない。
【００３９】
そして、実際の施工では、水平架構１０の入隅Ａにおいて接合される２つの横架材１，２間に火打金物１１を架設し、この火打金物１１の架渡部１１１に設けられた貫通孔１１６に、線状緊張部材１５の端部にその軸線方向に沿って一体に設けられた雄ネジ部１５２を挿通した状態で火打金物１１の架渡部１１１を挟んでその両側で雄ネジ部１５２にナット１７を締結することにより、線状緊張部材１５の端部を火打金物１１の架渡部１１１に固定する。そして、入隅Ｂ、Ｃ，Ｄにおいても同様の施工を行う。これにより、木造建築物に水平架構の補強部材を施工できるため、簡便に補強工事ができる。
【００４０】
線状緊張部材１５の緊張は、火打金物１１の架渡部１１１の貫通孔１１６に挿通する雄ネジ部１５２の長さを調整することにより行うことができる。つまり、雄ネジ部１５２によって線状緊張部材１５の端部の固定と線状緊張部材１５の緊張を同時に行うことができる。したがって、ターンバックルのような長さを調整する別部材が不要であり、コストの削減が図れる。
【００４１】
また、同時に、火打金物１１は、水平架構１０の入隅Ａにおいて接合される２つの横架材１，２間に架設されてこの入隅Ａの接合部を補強するので、火打金物１１としての補強効果も見込むことができる。
【００４２】
このとき、火打金物１１の架渡部１１１には、図３に示すように、高さ方向の異なる位置に貫通孔１１６が複数設けられているので、火打金物１１の架渡部１１１に固定する雄ネジ部１５２の位置を高さ方向にずらすことができる。例えば図６に示すように、火打金物１１を架設する入隅Ａに既存の火打材（木材など）９などの障害物が存在していたり、図示しないが、対角位置にある２つの入隅Ａ，Ｂ間に既存の梁などの障害物が存在していたりしても、障害物の位置から高さ方向にずらして線状緊張部材１５の雄ネジ部１５２を火打金物１１の架渡部１１１に固定することにより、対角位置にある２つの入隅Ａ，Ｂ間に線状緊張部材１５を架け渡すことができる。そして、図６に示すように、火打金物１１の架渡部１１１および固定部１１２，１１３の高さ方向の幅が横架材１，２の高さ方向の幅よりも大きいと、より一層、障害物の位置から高さ方向にずらして線状緊張部材１５の雄ネジ部１５２を火打金物１１の架渡部１１１に固定しやすくなる。
【００４３】
また、火打金物１１の固定部１１２，１１３には、図３に示すように、それぞれ固定用ビス１８を挿通するビス孔１１７，１１８が高さ方向の異なる位置に複数設けられているので、入隅Ａにおける２つの横架材に異なる高さで火打金物１１の固定部１１２，１１３を固定することができる。例えば図７に示すように、水平架構の入隅Ｅにおいて接合される２つの横架材２１，２２どうしが高さ方向にずれて段差がある場合にも、この段差に対応して２つの横架材２１，２２に火打金物１１の固定部１１２，１１３をそれぞれ固定することができる。そして、図７に示すように、火打金物１１の架渡部１１１および固定部１１２，１１３の高さ方向の幅が横架材２１，２２の高さ方向の幅よりも大きいと、より一層、この段差に対応して２つの横架材２１，２２に火打金物１１の固定部１１２，１１３を固定しやすくなる。
【００４４】
上記実施形態において、水平架構１０は面が正方形に構成されている水平架構であり、横架材１〜４の長さがすべて同じ場合において好適に施工される水平架構の補強部材の例である。この場合には、図５に示すように、線状緊張部材１５の雄ネジ部１５２の軸線方向Ｌ１と火打金物１１の架渡部１１１の貫通孔１１６の軸線方向Ｌ２とが一致する。
【００４５】
しかし、水平架構は、横架材１，３と２，４の長さが異なる場合において、矩形状の（正方形ではない）面となる場合もある。この場合には、水平架構の面内において、線状緊張部材１５の雄ネジ部１５２の軸線方向は、火打金物１１の架渡部１１１の貫通孔１１６の軸線方向と異なる。
【００４６】
図８（ａ）〜（ｃ）には、面が矩形状の水平架構において、線状緊張部材１５の雄ネジ部１５２が火打金物１１の架渡部１１１に固定されたところを示した拡大図である。図８（ａ）〜（ｃ）に示すように、水平架構の補強部材は、さらにテーパ座金２０を備える。テーパ座金２０は、少なくとも一方の座面が傾斜面で厚みが漸次小さくなるものである。
【００４７】
図５において示される座金１９は、その両面が平行な平面になっており、その両面が火打金物１１の架渡部１１１の面と平行な平面になっている。これに対し、図８において示されるテーパ座金２０は、その一方面が火打金物１１の架渡部１１１の面と平行な平面になっているが、その他方面が火打金物１１の架渡部１１１の面と平行でない傾斜面（傾斜平面）になっている。このため、テーパ座金２０を用いると、火打金物１１の架渡部１１１の面から座面の角度がずれる。
【００４８】
図８（ａ）では、火打金物１１の架渡部１１１を挟んでその両側に同じ構成のテーパ座金２０がそれぞれ１つずつ配置されている。このため、図８（ａ）では、テーパ座金２０の傾斜角の角度で、水平架構の面内において線状緊張部材１５の雄ネジ部１５２の軸線方向Ｌ１が火打金物１１の架渡部１１の貫通孔１１６の軸線方向Ｌ２と異なる方向に向けられる。
【００４９】
図８（ｂ）では、火打金物１１の架渡部１１１を挟んでその両側に同じ構成のテーパ座金２０がそれぞれ２つずつ配置されている。このため、図８（ｂ）では、テーパ座金２０の傾斜角の２倍の角度で、水平架構の面内において線状緊張部材１５の雄ネジ部１５２の軸線方向Ｌ１が火打金物１１の架渡部１１１の貫通孔１１６の軸線方向Ｌ２と異なる方向に向けられる。
【００５０】
そして、図８（ｃ）では、火打金物１１の架渡部１１１を挟んでその両側に同じ構成のテーパ座金２０がそれぞれ３つずつ配置されている。このため、図８（ｃ）では、テーパ座金２０の傾斜角の３倍の角度で、水平架構の面内において線状緊張部材１５の雄ネジ部１５２の軸線方向Ｌ１が火打金物１１の架渡部１１１の貫通孔１１６の軸線方向Ｌ２と異なる方向に向けられる。
【００５１】
このように、テーパ座金２０を用いることで、水平架構の面内において線状緊張部材１５の雄ネジ部１５２の軸線方向Ｌ１を火打金物１１の架渡部１１１の貫通孔１１６の軸線方向Ｌ２と異なる方向に向けることができる。これにより、面が矩形状の（正方形ではない）水平架構にも水平架構の補強部材を適切に施工することができる。そうすると、水平架構の形状に合わせて火打金物を個別に作製する必要がなく、水平架構の形状が異なっている場合でも火打金物を共通にすることができるため、コストの削減が図れる。
【００５２】
角度の調整は、テーパ座金２０の傾斜角、組み合わせる数などで行うことができる。このとき、傾斜角の異なるテーパ座金を組み合わせることで、傾斜角の調整をより細かく行うことができる。ただし、火打金物１１の架渡部１１１を挟んだその両側にはテーパ座金を対称配置する必要がある。
【００５３】
面が矩形状の水平架構においては、テーパ座金に代えて球面座金を用いることができる。図９は、球面座金の一例を示した断面図である。球面座金３０は、座面の一方面（下側面）３１ａが凸の球面で他方面（上側面）３１ｂが平面となる上側部材３１と、座面の一方面（上側面）３２ａが凹の球面で他方面（下側面）３２ｂが平面となる下側部材３２の一対を組み合わせてなるものである。上側部材３１の凸の球面と下側部材３２の凹の球面とが合わさるようにこれらは配置される。この球面座金３０によれば、下側部材３２に対し、上側部材３１を矢印の方向に回転させることにより、下側部材３２の孔３２ｃの軸線方向Ｌ３を火打金物１１の架渡部１１１の貫通孔１１６の軸線方向Ｌ２に合わせるとともに、上側部材３１の孔３１ｃの軸線方向Ｌ４を線状緊張部材１５の雄ネジ部１５２の軸線方向Ｌ１に合わせることができる。そして、その角度調整は連続的に行うことができる。したがって、角度調整の自由度が高い。
【００５４】
以上、本発明は上記実施形態に限定されるものではなく、本発明の趣旨を逸脱しない範囲内で種々の改変が可能なものである。
【００５５】
例えば図１では、入隅Ａ，Ｂ間および入隅Ｃ，Ｄ間の両方に本発明に係る線状緊張部材が架け渡されているが、入隅Ａ，Ｂ間および入隅Ｃ，Ｄ間のいずれか一方のみに本発明に係る線状緊張部材が架け渡されていてもよい。また、本発明に係る線状緊張部材が架け渡される入隅Ａ，Ｂ間の両方の入隅Ａ，Ｂにそれぞれ本発明に係る火打金物が架設されているが、入隅Ａ，Ｂのいずれか一方のみに本発明に係る火打金物が架設されていてもよい。
【００５６】
また、線状緊張部材の端部には、雄ネジ部がその軸線方向に沿って一体に設けられていればよく、その一体化方法については特に限定されるものではない。例えば、線状材と雄ネジ部とが溶接等の接合方法により接合されるものであってもよいし、切削加工等の方法により線状材の端部に雄ネジ部が形成されるものであってもよい。
【００５７】
また、図１において、水平架構１０は柱を介して横架材どうしが接合されるものであるが、水平架構は一般に構成される水平架構のいずれであってもよく、例えば図７に示されるように柱の上に２つの横架材の両方が乗り、２つの横架材どうしが直接接合された接合部を含むものであってもよいし、柱のないところで２つの横架材どうしが直接接合された接合部を含むものであってもよい。
【００５８】
また、図２，３では、固定部と架渡部の角度が４５°に設定されているが、これは水平架構１０の面が正方形に構成されており、テーパ座金などで雄ネジ部の角度調整を行う必要がないからであり、例えば水平架構の面が矩形のものに設置する場合などでは、固定部と架渡部の角度を４５°以外の角度に設定してもよい。固定部と架渡部の角度を所定の角度にすることで、水平架構の面が矩形の場合でも、雄ネジ部の角度調整を行わなくて済む場合がある。また、固定部と架渡部は、折り曲げられる形で一体に形成されているが、溶接等で接合されることにより一体化されたものであってもよい。
【００５９】
また、図２においては、固定用ビス１８が用いられているが、ボルト締めにより固定部が横架材に固定されていてもよいし、他の固定方法で固定されていてもよい。また、横架材を介して隣り合う２つの入隅の両方にそれぞれ別の火打金物を架設する場合には、一の横架材を貫通するボルトを用い、一の火打金物の固定部と他の火打金物の固定部を一のボルトでまとめて一の横架材に固定してもよい。
【符号の説明】
【００６０】
１，２  横架材
１０  水平架構
１１  火打金物
１１１  火打金物の架渡部
１１６  火打金物の貫通孔
１５  線状緊張部材
１５２  線状緊張部材の雄ネジ部
１７  雌ネジ部材
Ａ，Ｂ，Ｃ，Ｄ  入隅
【図１】
2015194051.tif 000003
【図２】
2015194051.tif 000004
【図３】
2015194051.tif 000005
【図４】
2015194051.tif 000006
【図５】
2015194051.tif 000007
【図６】
2015194051.tif 000008
【図７】
2015194051.tif 000009
【図８】
2015194051.tif 000010
【図９】
2015194051.tif 000011